(57)【要約】【課題】製造コストの抑制、性能試験効率の向上、性能試験時間の短縮を図る。【解決手段】試験用マクロにもとづいて被試験カード１００の性能試験を実施する試験用コンピュータ２００と、被試験カード１００を実装し、試験用コンピュータ２００の指示に応じて動作する試験用治具３００と、被試験カード１００を試験用コンピュータ２００に接続するイーサケーブル９０１に介在し、試験用コンピュータ２００の指示に応じてイーサケーブル９０１の切断／接続を行う通信ケーブル切断／接続治具４００とを用い、試験用コンピュータ２００が、手作業によるイーサケーブル９０１の挿抜要求に代えて、通信ケーブル切断／接続治具４００にイーサケーブル９０１の切断／接続を指示することにより、試験中にイーサケーブル９０１の挿抜が要求される試験を自動化する。【選択図】図１
2008249330.tif 000002
【特許請求の範囲】
【請求項１】
通信インタフェースを持つ被試験機器の性能を試験するための被試験機器のテスト装置であって、
試験用マクロにもとづいて前記被試験機器の性能試験を実施する試験用コンピュータと、
前記被試験機器を実装し、前記試験用コンピュータの指示に応じて動作する試験用治具と、
前記被試験機器を前記試験用コンピュータに接続する通信ケーブルに介在し、前記試験用コンピュータの指示に応じて通信ケーブルの切断／接続を行う通信ケーブル切断／接続治具と、を備え、
前記試験用コンピュータが、手作業による通信ケーブルの挿抜要求に代えて、前記通信ケーブル切断／接続治具に通信ケーブルの切断／接続を指示し、
前記通信ケーブル切断／接続治具が、前記試験用コンピュータからの指示により、前記通信ケーブルの切断／接続を実行することを特徴とする被試験機器テスト装置。
【請求項２】
前記試験用コンピュータが、
試験開始前に、前記通信ケーブル切断／接続治具の有無を判断し、
前記通信ケーブル切断／接続治具が無いと判断した場合は、通信ケーブルの挿抜が必要なとき、手作業による通信ケーブルの挿抜を要求し、
前記通信ケーブル切断／接続治具が有ると判断した場合は、通信ケーブルの挿抜が必要なとき、手作業による通信ケーブルの挿抜要求に代えて、前記通信ケーブル切断／接続治具に通信ケーブルの切断／接続を指示する請求項１記載の被試験機器テスト装置。
【請求項３】
通信インタフェースを持つ被試験機器の性能を試験するための被試験機器テスト方法であって、
試験用マクロにもとづいて前記被試験機器の性能試験を実施する試験用コンピュータと、
前記被試験機器を実装し、前記試験用コンピュータの指示に応じて動作する試験用治具と、
前記被試験機器を前記試験用コンピュータに接続する通信ケーブルに介在し、前記試験用コンピュータの指示に応じて通信ケーブルの切断／接続を行う通信ケーブル切断／接続治具と、を備え、
前記試験用コンピュータが、手作業による通信ケーブルの挿抜要求に代えて、前記通信ケーブル切断／接続治具に通信ケーブルの切断／接続を指示し、
前記通信ケーブル切断／接続治具が、前記試験用コンピュータからの指示により、前記通信ケーブルの切断／接続を実行することを特徴とする被試験機器テスト方法。
【請求項４】
前記試験用コンピュータが、
試験開始前に、前記通信ケーブル切断／接続治具の有無を判断し、
前記通信ケーブル切断／接続治具が無いと判断した場合は、通信ケーブルの挿抜が必要なとき、手作業による通信ケーブルの挿抜を要求し、
前記通信ケーブル切断／接続治具が有ると判断した場合は、通信ケーブルの挿抜が必要なとき、手作業による通信ケーブルの挿抜要求に代えて、前記通信ケーブル切断／接続治具に通信ケーブルの切断／接続を指示する請求項１記載の被試験機器テスト方法。
【請求項５】
通信インタフェースを持つ被試験機器の性能試験に用いる通信ケーブル切断／接続治具であって、
試験用マクロにもとづいて前記被試験機器の性能試験を実施する試験用コンピュータと、前記被試験機器とを接続する通信ケーブルに介在し、前記試験用コンピュータの指示に応じて通信ケーブルの切断／接続を行うことを特徴とする通信ケーブル切断／接続治具。
【請求項６】
前記試験用コンピュータの指示に代えて、通信ケーブルの切断／接続を指示する手動スイッチを備える
請求項５記載の通信ケーブル切断／接続治具。
【発明の詳細な説明】
【技術分野】
【０００１】
本発明は、制御系パネルのような通信インタフェースを備えた被試験機器の性能試験に用いる被試験機器テスト装置、被試験機器テスト方法及び通信ケーブル切断／接続治具に関する。
【背景技術】
【０００２】
近年、HOST CPUが搭載され、かつ、Ether I／Fを備えた制御系パネル（カード）のような、通信インタフェースを持つ電子機器が増えてきている。
この種の電子機器を開発・製造するにあたり、出荷前には、電子機器（被試験機器）の性能試験が行われる（例えば、特許文献１参照）。
以下、通信インタフェースを備えた被試験機器の性能試験に用いられる従来の被試験機器テスト装置について、図９及び図１０を参照して説明する。
図９は、従来例に係る被試験機器テスト装置の構成を示すブロック図である。
この図に示すように、被試験カード１００（被試験機器）の性能試験に用いられる従来の被試験機器テスト装置は、試験用マクロにもとづいて被試験カード１００の性能試験を実施する試験用コンピュータ２００と、試験用コンピュータ２００の指示に応じて動作する試験用治具３００とを備えて構成されている。
【０００３】
被試験カード１００は、性能試験に際し、試験用治具３００に実装される。
試験用コンピュータ２００は、通信ケーブルとなるイーサケーブル（Etherケーブル）９０１を介して被試験カード１００に接続されるとともに、シリアルケーブル９０２及び押下スイッチ制御ケーブル９０３を介して試験用治具３００に接続され、試験用マクロにもとづいて被試験カード１００の性能試験が実施される。
試験用治具３００は、電源ケーブル９０５を介して接続される外部の電源５００から電源供給を受けるとともに、被試験カード１００へ電源を供給する。
また、試験用治具３００には、被試験カード１００へ入力する信号の論理を変更させることなどを目的としたトグルスイッチ３０１や、被試験カード１００をリセットさせることなどを目的とした押下スイッチ３０２が設けられている。
【０００４】
図１０は、従来例に係る被試験機器性能試験工程を示すフローチャートである。
この図に示すように、試験用コンピュータ２００は、実行される試験用マクロにもとづいて、複数の試験項目について性能試験を実施する。
試験項目としては、例えば、各デバイスへのアクセス確認（Ｓ３０１）、ＬＥＤ点灯・消灯確認（Ｓ３０２）、リセット試験（Ｓ３０３）、Ｐｉｎｇ試験（Ｓ３０４）、ＤＣ信号確認（Ｓ３０５）、ＬｉｎｋＵＰ／ＤＯＷＮ確認（Ｓ３０６）、メモリテスト（Ｓ３０７）などが含まれている。
【０００５】
このような通信インタフェースを備えた被試験機器の性能試験では、試験中に通信ケーブルの挿抜が要求される場合がある。
例えば、図１０に示す被試験機器性能試験工程のＬｉｎｋＵＰ／ＤＯＷＮ確認（Ｓ３０６）では、試験用コンピュータ２００のモニタ画面などにおいて、作業者にイーサケーブル９０１の挿抜操作が要求され、イーサケーブル９０１の挿抜に応じた被試験カード１００のＬｉｎｋＵＰ／ＤＯＷＮ動作が確認されるようになっている。
【０００６】
【特許文献１】特開２００２−３２３３５４号公報
【発明の開示】
【発明が解決しようとする課題】
【０００７】
ところで、近年の制御系パネル等の電子機器における多機能化や回路の複雑化に伴い、これら電子機器についての性能試験の試験項目や試験時間が大幅に増加してきている。また、製造コストの抑制、性能試験効率の向上、性能試験時間の短縮を目的とし、性能試験の各工程で自動化を推進している。
ところが、上述したように、試験中に通信ケーブルの挿抜を要求する工程がある従来の性能試験方法では、試験工程を完全自動化することはきわめて困難であった。
【０００８】
なお、特許文献１には、試験信号生成装置と被試験機とを接続するケーブルに介在し、遠隔制御で切断／接続制御されるリレーが示されている。
しかしながら、このリレーは、試験実施中にシステムが暴走した場合に、試験信号生成装置と被試験機とを分断するためのものであり、性能試験の内容や自動化には寄与し得ないものであった。
【０００９】
本発明は、上記の事情にかんがみなされたものであり、試験中に通信ケーブルの挿抜が要求される試験を自動化することにより、製造コストの抑制、性能試験効率の向上、性能試験時間の短縮などが図れる被試験機器のテスト装置、テスト方法及び通信ケーブル切断／接続治具の提供を目的とする。
【課題を解決するための手段】
【００１０】
上記目的を達成するため本発明の被試験機器テスト装置は、通信インタフェースを持つ被試験機器の性能を試験するための被試験機器のテスト装置であって、試験用マクロにもとづいて前記被試験機器の性能試験を実施する試験用コンピュータと、前記被試験機器を実装し、前記試験用コンピュータの指示に応じて動作する試験用治具と、前記被試験機器を前記試験用コンピュータに接続する通信ケーブルに介在し、前記試験用コンピュータの指示に応じて通信ケーブルの切断／接続を行う通信ケーブル切断／接続治具と、を備え、前記試験用コンピュータが、手作業による通信ケーブルの挿抜要求に代えて、前記通信ケーブル切断／接続治具に通信ケーブルの切断／接続を指示し、前記通信ケーブル切断／接続治具が、前記試験用コンピュータからの指示により、前記通信ケーブルの切断／接続を実行する構成としてある。
【００１１】
より具体的には、本発明の被試験機器テスト装置は、前記試験用コンピュータが、試験開始前に、前記通信ケーブル切断／接続治具の有無を判断し、前記通信ケーブル切断／接続治具が無いと判断した場合は、通信ケーブルの挿抜が必要なとき、手作業による通信ケーブルの挿抜を要求し、前記通信ケーブル切断／接続治具が有ると判断した場合は、通信ケーブルの挿抜が必要なとき、手作業による通信ケーブルの挿抜要求に代えて、前記通信ケーブル切断／接続治具に通信ケーブルの切断／接続を指示する構成としてある。
【００１２】
このような構成からなる本発明の被試験機器テスト装置によれば、被試験機器と試験用コンピュータとが、通信ケーブル切断／接続治具を介して接続され、試験用コンピュータからの指示によって通信ケーブル切断／接続治具が制御され、通信ケーブルの接続／切断が自動的に行われるようになる。
これにより、性能試験中に通信ケーブルの挿抜が要求される試験（工程）を自動化することが可能となり、例えば、イーサネット（登録商標）Ｉ／Ｆを持つ被試験機器の性能試験において、ＬｉｎｋＵＰ／ＤＯＷＮ確認を自動化することができる。
従って、本発明によれば、製造コストの抑制、性能試験効率の向上、性能試験時間の短縮などを図ることができる。
また、被試験機器と試験用コンピュータとを通信ケーブル切断／接続治具を介して接続することにより、通信ケーブル切断／接続治具を使用する性能試験と、通信ケーブル切断／接続治具を使用しない性能試験との双方に対応することができ、汎用性、拡張性に優れた電子機器の性能試験等を実現することができる。
【００１３】
また、本発明の被試験機器テスト方法は、通信インタフェースを持つ被試験機器の性能を試験するための被試験機器テスト方法であって、試験用マクロにもとづいて前記被試験機器の性能試験を実施する試験用コンピュータと、前記被試験機器を実装し、前記試験用コンピュータの指示に応じて動作する試験用治具と、前記被試験機器を前記試験用コンピュータに接続する通信ケーブルに介在し、前記試験用コンピュータの指示に応じて通信ケーブルの切断／接続を行う通信ケーブル切断／接続治具と、を備え、前記試験用コンピュータが、手作業による通信ケーブルの挿抜要求に代えて、前記通信ケーブル切断／接続治具に通信ケーブルの切断／接続を指示し、前記通信ケーブル切断／接続治具が、前記試験用コンピュータからの指示により、前記通信ケーブルの切断／接続を実行する方法としてある。
【００１４】
より具体的には、本発明の被試験機器テスト方法は、前記試験用コンピュータが、試験開始前に、前記通信ケーブル切断／接続治具の有無を判断し、前記通信ケーブル切断／接続治具が無いと判断した場合は、通信ケーブルの挿抜が必要なとき、手作業による通信ケーブルの挿抜を要求し、前記通信ケーブル切断／接続治具が有ると判断した場合は、通信ケーブルの挿抜が必要なとき、手作業による通信ケーブルの挿抜要求に代えて、前記通信ケーブル切断／接続治具に通信ケーブルの切断／接続を指示する方法としてある。
【００１５】
このように、本発明は上述した被試験機器のテスト装置の発明としてだけでなく、方法発明としても実現化することができる。
従って、本発明は、試験装置等のハードウェアの構成にとらわれることなく実施することができ、汎用性、拡張性に優れた電子機器の試験方法・テスト方法として実現することが可能である。
【００１６】
また、本発明の通信ケーブル切断／接続治具は、通信インタフェースを持つ被試験機器の性能試験に用いる通信ケーブル切断／接続治具であって、試験用マクロにもとづいて前記被試験機器の性能試験を実施する試験用コンピュータと、前記被試験機器とを接続する通信ケーブルに介在し、前記試験用コンピュータの指示に応じて通信ケーブルの切断／接続を行う構成としてある。
【００１７】
このように、本発明は上述した被試験機器のテスト装置の発明としてだけでなく、被試験機器と試験用コンピュータとを接続する通信ケーブルの接続／切断を切り換え制御する治具の発明としても実現化することができる。
これにより、試験装置等のハードウェアの構成にとらわれることなく本発明に係る電子機器の性能試験等を実施することができ、汎用性、拡張性にも優れた電子機器の試験用治具を提供することができる。
【００１８】
さらに、本発明の通信ケーブル切断／接続治具は、前記試験用コンピュータの指示に代えて、通信ケーブルの切断／接続を指示する手動スイッチを備える構成としてある。
このような構成とすることにより、試験用マクロが通信ケーブル切断／接続治具に対応していない場合や、試験用コンピュータと通信ケーブル切断／接続治具との通信障害が発生した場合でも、手作業による通信ケーブルの挿抜を行うことなく、手動スイッチの操作により通信ケーブルの切断／接続を行うことができ、より使いやすく、効率の良い性能試験等を実施できるようになる。
【発明の効果】
【００１９】
本発明によれば、性能試験中に通信ケーブルの挿抜が要求される試験（工程）を自動化することが可能となる。
これにより、製造コストの抑制、性能試験効率の向上、性能試験時間の短縮などを図ることができる。
【発明を実施するための最良の形態】
【００２０】
以下、本発明に係る被試験機器のテスト装置、テスト方法、通信ケーブル切断／接続治具の好ましい実施形態について、図面を参照して説明する。
図１は、本発明の一実施形態に係る被試験機器テスト装置の構成を示すブロック図であり、図２は、被試験カード（被試験機器）の構成を示すブロック図である。
図１に示すように、被試験カード１００（被試験機器）の性能試験に用いられる本実施形態の被試験機器テスト装置は、試験用マクロにもとづいて被試験カード１００の性能試験を実施する試験用コンピュータ２００、試験用コンピュータ２００の指示に応じて動作する試験用治具３００及び通信ケーブル切断／接続治具４００などを備えて構成されている。
【００２１】
被試験カード１００は、例えば、HOST  CPUが搭載されたEther I／Fを備えた制御系パネル（カード）のような通信インタフェースを持つ電子機器からなり、出荷前の性能試験等に際して、試験用治具３００に実装される。
具体的には、被試験カード１００は、通信インタフェースを備える被試験機器であって、例えば、図２に示すように、ＣＰＵ１０１、ＳＤＲＡＭ１０２、通信インタフェースとなるイーサＰＨＹ（Ether PHY）１０３、ＬＥＤ１０４、ボタン１０５、ＦＲＡＭ１０６、ＦＰＧＡ１０７、ＰＬＤ３０８、モジュラージャック１０９、バックボードインタフェース１１０などを備えて構成されている。
【００２２】
試験用コンピュータ２００は、イーサケーブル（通信ケーブル）９０１Ａ、９０１Ｂを介して被試験カード１００に接続されるとともに、シリアルケーブル９０２及び押下スイッチ制御ケーブル９０３を介して試験用治具３００に接続され、さらに、ＵＳＢケーブル９０４を介して通信ケーブル切断／接続治具４００に接続される。
そして、試験用コンピュータ２００は、後述の試験用マクロにもとづいて被試験カード１００の性能試験を実施する。
【００２３】
試験用治具３００は、電源ケーブル９０５を介して接続される外部の電源５００から電源供給を受けるとともに、被試験カード１００へ電源を供給する。
また、試験用治具３００には、被試験カード１００へ入力する信号の論理を変更させることなどを目的としたトグルスイッチ３０１や、被試験カード１００をリセットさせることなどを目的とした押下スイッチ３０２が設けられている。
【００２４】
図３は、本実施形態に係る通信ケーブル切断／接続治具の構成を示すブロック図である。
通信ケーブル切断／接続治具４００は、被試験カード１００を試験用コンピュータ２００に接続するイーサケーブル９０１Ａ、９０１Ｂに介在し、試験用コンピュータ２００の指示などに応じてイーサケーブル９０１Ａ、９０１Ｂの切断／接続を行う。
具体的には、通信ケーブル切断／接続治具４００は、図３に示すように、イーサケーブル９０１Ａを介して試験用コンピュータ２００に接続されるモジュラージャック４０１Ａと、イーサケーブル９０１Ｂを介して被試験カード１００に接続されるイモジュラージャック４０１Ｂと、内部でモジュラージャック４０１Ａとモジュラージャック４０１Ｂとを繋ぐ配線の切断／接続を行う切断／接続部４０２と、ＵＳＢケーブル９０４を介して試験用コンピュータ２００に接続されるＵＳＢコネクタ４０３と、作業者が操作可能な手動スイッチ４０４とを備えている。
そして、通信ケーブル切断／接続治具４００は、ＵＳＢインタフェースを介して受信される試験用コンピュータ２００からの切断／接続指示や、手動スイッチ４０４による切断／接続指示に応じて、イーサケーブル９０１Ａ、９０１Ｂの切断／接続を行う。
【００２５】
図４は、本実施形態に係る通信ケーブル切断／接続治具の制御手順を示すフローチャートである。
通信ケーブル切断／接続治具４００は、まず、手動操作の有効の有無を設定するために、手動スイッチ４０４が有効となっているか否かの確認を行う（Ｓ１０１）。
手動スイッチ４０４が有効の場合は、通信ケーブル切断／接続治具４００は、手動スイッチ４０４の操作に応じて（Ｓ１０２）、イーサケーブル９０１Ａ、９０１Ｂの切断／接続状態を反転させるとともに（Ｓ１０３）、試験用コンピュータ２００に対して切断／接続処理完了報告を行う（Ｓ１０４）。
【００２６】
手動スイッチ４０４が無効の場合は、通信ケーブル切断／接続治具４００は、試験用コンピュータ２００からの指示を待ち、試験用コンピュータ２００から切断又は接続の指示を受信すると（Ｓ１０５）、指示内容を確認する（Ｓ１０６）。
そして、試験用コンピュータ２００からの指示が接続指示である場合は、通信ケーブル切断／接続治具４００は、現在の接続状態を確認し（Ｓ１０７）、接続中であれば特に状態を変更させる必要が無いので、そのまま試験用コンピュータ２００に対して切断／接続処理完了報告を行う（Ｓ１０４）。
一方、現在の接続状態が切断中のときは、これを接続させる必要があるので、通信ケーブル切断／接続治具４００は、通信ケーブルの接続処理を行い（Ｓ１０８）、その後に試験用コンピュータ２００に対して切断／接続処理完了報告を行う（Ｓ１０４）。
【００２７】
また、試験用コンピュータ２００からの指示が切断指示である場合は、通信ケーブル切断／接続治具４００は、現在の接続状態を確認し（Ｓ１０９）、切断中であれば特に状態を変更させる必要が無いので、そのまま試験用コンピュータ２００に対して切断／接続処理完了報告を行う（Ｓ１０４）。
一方、現在の接続状態が接続中のときは、これを切断させる必要があるので、通信ケーブル切断／接続治具４００は、通信ケーブルの切断処理を行い（Ｓ１１０）、その後に試験用コンピュータ２００に対して切断／接続処理完了報告を行う（Ｓ１０４）。
【００２８】
図５は、本実施形態に係る通信ケーブル切断／接続治具の接続構成例を示す説明図であり、図６は、本実施形態に係る通信ケーブル切断／接続治具の他の接続構成例を示す説明図である。
また、図７は、本実施形態に係る通信ケーブル切断／接続治具の内部構成例を示す説明図である。
これらの図に示すように、本実施形態において通信ケーブル切断／接続治具４００の接続構成や形状等に制限はない。例えば、図５に示すように、通信ケーブル切断／接続治具４００を小型モジュールとして構成し、被試験カード１００と試験用コンピュータ２００の間に接続、介在させることができる。
【００２９】
また、イーサケーブル９０１内の未使用配線を試験用コンピュータ２００からの制御線として使用すれば、図６及び図７に示すように、被試験カード１００のモジュラージャック１０９に通信ケーブル切断／接続治具４００を一体的に組み込んで構成することができる。
具体的には、図７に示すように、例えばモジュラージャック１０９のコネクタ挿入口１０９ａの配線のうち、イーサ１０３に接続させる配線に切断／接続部４０２を介在させるとともに、未使用配線を試験用コンピュータ２００からの制御線として使用することで、通信ケーブル切断／接続治具４００が組み込まれたモジュラージャック１０９を構成することが可能である。
【００３０】
図８は、本実施形態に係る被試験機器性能試験工程を示すフローチャートである。
同図に示すように、試験用コンピュータ２００は、実行される試験用マクロにもとづいて、複数の試験項目について性能試験を実施する。
試験項目としては、各デバイスへのアクセス確認（Ｓ２０１）、ＬＥＤ点灯・消灯確認（Ｓ２０２）、リセット試験（Ｓ２０３）、Ｐｉｎｇ試験（Ｓ２０４）、ＤＣ信号確認（Ｓ２０５）、ＬｉｎｋＵＰ／ＤＯＷＮ確認（Ｓ２０７、Ｓ２０８）、メモリテスト（Ｓ２０９）などが含まれている。
【００３１】
以下、図８を参照しつつ、本実施形態に係る被試験機器のテスト方法を具体的に説明すると、上述した被試験機器テスト装置において、被試験カード１００を試験用治具３００に実装するとともに、被試験カード１００のモジュラージャック１０９にイーサケーブル９０１Ｂを接続した後、試験用コンピュータ２００の試験用マクロを実行する。
試験用コンピュータ２００は、まず、被試験カード１００、試験用治具３００、通信ケーブル切断／接続治具４００などの各デバイスへのアクセス確認を行い（Ｓ２０１）、その後、被試験カード１００のＬＥＤ点灯・消灯確認（Ｓ２０２）、リセット試験（Ｓ２０３）、Ｐｉｎｇ試験（Ｓ２０４）及びＤＣ信号確認（Ｓ２０５）を行う。
【００３２】
次に、試験用コンピュータ２００は、イーサケーブル９０１の挿抜が要求されるＬｉｎｋＵＰ／ＤＯＷＮ確認（Ｓ２０７、Ｓ２０８）を行う。本実施形態の試験用マクロは、このＬｉｎｋＵＰ／ＤＯＷＮ確認（Ｓ２０７、Ｓ２０８）を実施するにあたり、まず、ステップＳ２０１のアクセス確認結果にもとづいて通信ケーブル切断／接続治具４００の有無を判断する（Ｓ２０６）。
通信ケーブル切断／接続治具４００が無いと判断した場合は、試験用コンピュータ２００のモニタ画面において、手作業によるイーサケーブル９０１の挿抜を要求し、イーサケーブル９０１の挿抜に応じた被試験カード１００のＬｉｎｋＵＰ／ＤＯＷＮ動作を確認する（Ｓ２０７）。
一方、通信ケーブル切断／接続治具４００が有ると判断した場合は、手作業による通信ケーブルの挿抜要求に代えて、通信ケーブル切断／接続治具４００にイーサケーブル９０１の切断／接続を指示し、通信ケーブル切断／接続治具４００の切断／接続動作に応じた被試験カード１００のＬｉｎｋＵＰ／ＤＯＷＮ動作を確認する（Ｓ２０８）。
その後、メモリテスト（Ｓ２０９）を実行し、被試験カード１００の性能試験が完了する。
【００３３】
以上説明したように、本実施形態に係る被試験機器のテスト装置及びテスト方法によれば、試験用コンピュータ２００が、手作業によるイーサケーブル９０１の挿抜要求に代えて、通信ケーブル切断／接続治具４００にイーサケーブル９０１の切断／接続を指示することにより、試験中にイーサケーブル９０１の挿抜が要求される試験を自動化することができるので、製造コストの抑制、性能試験効率の向上、性能試験時間の短縮などを図ることができる。
【００３４】
また、試験用コンピュータ２００は、試験開始前に、通信ケーブル切断／接続治具４００の有無を判断し、通信ケーブル切断／接続治具４００が無いと判断した場合は、イーサケーブル９０１の挿抜が必要なとき、手作業によるイーサケーブル９０１の挿抜を要求し、通信ケーブル切断／接続治具４００が有ると判断した場合は、イーサケーブル９０１の挿抜が必要なとき、手作業によるイーサケーブル９０１の挿抜要求に代えて、通信ケーブル切断／接続治具４００に通信ケーブルの切断／接続を指示するので、通信ケーブル切断／接続治具４００を使用する性能試験と、通信ケーブル切断／接続治具４００を使用しない性能試験との両方に自動的に対応することができる。
【００３５】
さらに、通信ケーブル切断／接続治具４００は、試験用コンピュータ２００の指示に代えて、イーサケーブル９０１の切断／接続を指示する手動スイッチ４０４を備えているので、試験用マクロが通信ケーブル切断／接続治具４００に対応していない場合や、試験用コンピュータ２００と通信ケーブル切断／接続治具４００との通信障害が発生した場合でも、手作業によるイーサケーブル９０１の挿抜を行うことなく、手動スイッチ４０４の操作によりイーサケーブル９０１の切断／接続を行うことができる。
【００３６】
以上、本発明に係る被試験機器テスト方法、被試験機器テスト装置及び通信ケーブル切断／接続治具について、好ましい実施形態を示して説明したが、本発明に係る被試験機器テスト装置及び通信ケーブル切断／接続治具は、上述した実施形態にのみ限定されるものではなく、本発明の範囲で種々の変更実施が可能であることは言うまでもない。
例えば、上述した実施形態では、イーサケーブルの挿抜について記載したが、ＵＳＢケーブル、ＩＥＥＥ１３９４ケーブルなどのシリアルケーブルやパラレルケーブルなどを含む他の通信ケーブルにも適用できることは言うまでもない。
【産業上の利用可能性】
【００３７】
本発明は、例えば、HOST CPUが搭載されたEther I／Fを備えた制御系パネル（カード）のような、通信インタフェースを持つ電子機器の性能テストの自動化に好適に利用することができる。
【図面の簡単な説明】
【００３８】
【図１】本発明の一実施形態に係る被試験機器テスト装置の構成を示すブロック図である。
【図２】被試験カード（被試験機器）の構成を示すブロック図である。
【図３】本発明の一実施形態に係る通信ケーブル切断／接続治具の構成を示すブロック図である。
【図４】本発明の一実施形態に係る通信ケーブル切断／接続治具の制御手順を示すフローチャートである。
【図５】本発明の一実施形態に係る通信ケーブル切断／接続治具の接続構成例を示す説明図である。
【図６】本発明の一実施形態に係る通信ケーブル切断／接続治具の他の接続構成例を示す説明図である。
【図７】本発明の一実施形態に係る通信ケーブル切断／接続治具の内部構成例を示す説明図である。
【図８】本発明の一実施形態に係る被試験機器性能試験工程を示すフローチャートである。
【図９】従来例に係る被試験機器テスト装置の構成を示すブロック図である。
【図１０】従来例に係る被試験機器性能試験工程を示すフローチャートである。
【符号の説明】
【００３９】
１００  被試験カード
２００  試験用コンピュータ
３００  試験用治具
４００  通信ケーブル切断／接続治具
４０４  手動スイッチ
９０１  イーサケーブル
【図１】
2008249330.tif 000003
【図２】
2008249330.tif 000004
【図３】
2008249330.tif 000005
【図４】
2008249330.tif 000006
【図５】
2008249330.tif 000007
【図６】
2008249330.tif 000008
【図７】
2008249330.tif 000009
【図８】
2008249330.tif 000010
【図９】
2008249330.tif 000011
【図１０】
2008249330.tif 000012